(57)【要約】【課題】  調査対象の加入者装置にて「無条件転送」の設定がなされている場合であっても、その調査対象の加入者装置が加入している回線種別の誤判別を無くすようにする。【解決手段】  制御部10は、非制限デジタル信号発生部13とターミナルアダプタ14を介して、回線種別調査対象の加入者装置へ非制限デジタル発信を行う。応答解析部17は非制限デジタル発信に対する反応を解析し、制御部10はその解析結果に基づいて加入者装置の回線がデジタル回線と確定できるか若しくはアナログ回線の可能性があるかを判別する。アナログ回線の可能性がある場合、制御部10は、DTMF信号発生部15とモデム16を介して、話中自動調査サービスセンタ40への発呼を行う。音声認識部18は話中自動調査サービスセンタ40からのガイダンス音声の音声認識を行い、加入者装置の通信回線がアナログ回線であると確定できるか若しくは判別不能であると確定できるかを判別する。【選択図】  図1
2007104507.tif 000002
【特許請求の範囲】
【請求項１】
回線種別の調査対象となされている加入者装置に宛てて非制限デジタル発信を行う非制限デジタル発信手段と、
前記非制限デジタル発信に対する反応に基づいて、前記加入者装置が加入している通信回線がデジタル回線であると確定できるか若しくはアナログ回線の可能性があるかを判定する第1の判定手段と、
加入者装置が通信中かどうかを自動応答により調査する所定の調査サービス局に対して、前記第1の判定手段によりアナログ回線の可能性があると判定された加入者装置についての調査依頼のための発信を行う調査サービス局発信手段と、
前記所定の調査サービス局から前記調査依頼に対する自動応答結果に基づいて、前記加入者装置が加入している通信回線がアナログ回線であると確定できるか若しくは判別不能であると確定できるかを判定する第2の判定手段とを有する
ことを特徴とする回線判別装置。
【請求項２】
前記第1の判定手段は、前記非制限デジタル発信に対する反応が、前記調査対象の加入者装置からの応答である場合と、前記調査対象の加入者装置が加入している通信回線の交換機から当該加入者装置の異常により着信不能であることを理由にした切断である場合には、前記調査対象の加入者装置が加入している通信回線はデジタル回線であると確定することを特徴とする請求項1記載の回線判別装置。
【請求項３】
前記第2の判定手段は、前記所定の調査サービス局から自動応答により送られてくるガイダンス音声を解析し、当該ガイダンス音声が前記調査対象の加入者装置が通信中であることを示す場合には、前記調査対象の加入者装置が加入している通信回線はアナログ回線であると確定し、前記ガイダンス音声が前記調査対象の加入者装置が通信中以外であることを示す場合には、前記調査対象の加入者装置が加入している通信回線は判別不能であると確定することを特徴とする請求項1又は請求項2記載の回線判別装置。
【請求項４】
回線種別の調査対象となされている加入者装置に宛てて非制限デジタル発信を行う非制限デジタル発信ステップと、
前記非制限デジタル発信に対する反応に基づいて、前記加入者装置が加入している通信回線がデジタル回線であると確定できるか若しくはアナログ回線の可能性があるかを判定する第1の判定ステップと、
加入者装置が通信中かどうかを自動応答により調査する所定の調査サービス局に対して、前記アナログ回線の可能性があると判定された加入者装置についての調査依頼のための発信を行う調査依頼発信ステップと、
前記所定の調査サービス局から前記調査依頼に対する自動応答結果に基づいて、前記加入者装置が加入している通信回線がアナログ回線であると確定できるか若しくは判別不能であると確定できるかを判定する第2の判定ステップとを有する
ことを特徴とする回線判別方法。
【請求項５】
前記第1の判定ステップでは、前記非制限デジタル発信に対する反応が、前記調査対象の加入者装置からの応答である場合と、前記調査対象の加入者装置が加入している通信回線の交換機から当該加入者装置の異常により着信不能であることを理由にした切断である場合には、前記調査対象の加入者装置が加入している通信回線はデジタル回線であると確定することを特徴とする請求項4記載の回線判別方法。
【請求項６】
前記第2の判定ステップでは、前記所定の調査サービス局から自動応答により送られてくるガイダンス音声を解析し、当該ガイダンス音声が前記調査対象の加入者装置が通信中であることを示す場合には、前記調査対象の加入者装置が加入している通信回線はアナログ回線であると確定し、前記ガイダンス音声が前記調査対象の加入者装置が通信中以外であることを示す場合には、前記調査対象の加入者装置が加入している通信回線は判別不能であると確定することを特徴とする請求項4又は請求項5記載の回線判別方法。
【発明の詳細な説明】
【技術分野】
【０００１】
本発明は、公衆アナログ電話回線や公衆ISDN（Integrated Services Digital Network）回線などの公衆回線の種類を判別するための回線判別装置及び方法に関する。
【背景技術】
【０００２】
従来より、公衆ISDN回線からアナログ回線へ非制限デジタルによる発信を行った場合、当該アナログ回線を収容する公衆回線網の交換機から、上記非制限デジタルによる発信側に対して、着信側の加入者装置に着信できないことを理由とした切断が行われる。
【０００３】
これに対して、公衆ISDN回線からISDN回線へ非制限デジタルの発信を行った場合、着信側の加入者装置が正常であれば、その加入者装置から応答が得られ、一方、着信側の加入者装置が異常であれば公衆回線網の交換機から加入者装置の異常により着信できないことを理由とした切断が行われる。
【０００４】
このようなことから、従来より、例えば或る電話番号の加入者装置が加入している公衆回線の種別を調査するような場合には、公衆ISDN回線から上記加入者装置の電話番号に宛てて非制限デジタルによる発信を行うようにし、その発信に対してどのような反応が得られたかを観察することにより、その加入者装置が加入している公衆回線の種類を判別することができると考えられている。すなわち例えば、調査対象の加入者装置の電話番号に宛てて公衆ISDN回線から非制限デジタルの発信を行った場合において、例えば、公衆回線網の交換機から着信側（調査対象の加入者装置）に着信できないことを理由とした切断が行われた時には、その調査対象の公衆回線はアナログ回線であると判定でき、一方、加入者装置から応答が得られた時、或いは、公衆回線網の交換機から加入者装置の異常により着信できないことを理由とした切断が行われた時には、その調査対象の公衆回線はISDN回線であると判定できる。
【０００５】
なお、特開平10-173758号の公開特許公報（特許文献1）には、調査対象となる地域に含まれるすべての市外局番及び市内局番を、公開されている情報に従って予め取得し、それらの局番を調査対象局番としてテーブル化しておき、その調査対象局番のすべてと、加入者番号となる可能性のある4桁の数字のすべての組み合わせとを調査対象電話番号とし、ISDNに接続したパーソナルコンピュータにより、それら調査対象電話番号に順番に発呼を行い、その応答を調べることにより、電話回線網で実際に使用されている電話番号を調査するようになされた、電話番号の調査方法と装置及び電話番号リストのクリーニング方法が開示されている。
【特許文献１】特開平10-173758号公報（図2）
【発明の開示】
【発明が解決しようとする課題】
【０００６】
ところで、上述したような公衆回線の種別調査の対象となっている加入者装置において、例えば、その加入者装置への着信を別の加入者装置へ転送する設定がなされているような場合、実際の回線種別の調査は、調査対象の加入者装置が加入している回線ではなく、転送先の回線に対して行われてしまうことになり、その結果、誤った回線判別を行ってしまうことがある。
【０００７】
図8には、公衆ISDN回線から非制限デジタルの発信を行って回線種類を判別した場合において、調査対象の加入者装置の公衆回線と転送先の加入者端末の公衆回線との関係により、回線がどのように判別されたかを示す回線判別結果を示している。なお、図8中の「無条件転送」とは、転送元の加入者装置（調査対象の加入者装置）に着信があった時に、その加入者装置の着信音を鳴らすことなく、その着信を即座に転送先の番号へ転送するような転送サービスであり、「無応答転送」とは、転送元の加入者装置に着信があった時に、その加入者装置の着信音を鳴らした後に、その着信を転送先の番号へ転送するような転送サービスである。図8中の「転送なし」は、転送設定がなされていない場合を示している。
【０００８】
この図8からわかるように、調査対象の加入者装置の回線がアナログ回線であり、且つ、転送設定が「無条件転送」となされている場合において、転送先がISDN回線である時には、調査対象の加入者装置の回線がアナログ回線であるにもかかわらずISDN回線であると誤判別されてしまう。また、調査対象の加入者装置の回線がISDN回線であり、且つ、転送設定が「無条件転送」となされている場合において、転送先がアナログ回線である時、及び、N社第2世代移動体通信網の移動体通信回線である時には、調査対象の加入者装置の回線がISDN回線であるにもかかわらずアナログ回線であると誤判別されてしまう。なお、調査対象の加入者装置の回線がISDN回線であり、且つ、転送設定が「無条件転送」となされている場合において、N社の第3世代移動体通信網、A社の移動体通信網、V社の第3世代移動体通信網、及びT社の移動体通信網の回線については、元々判別不能であることがわかっている。
【０００９】
このように、調査対象の加入者装置にて「無条件転送」の設定がなされている時に誤った回線判別が行われてしまう可能性があるため、上述した公衆ISDN回線から非制限デジタルの発信を行うことによる回線の判別手法では、その判別結果の信頼性が低くなってしまう。その一方で、公衆回線網の交換機により「無条件転送」が行われているかどうかについては、回線種別の調査を実行している側（非制限デジタルの発信側）では容易には識別できない。
【００１０】
そこで、本発明は上記問題を解決すべくなされたものであり、調査対象の加入者装置にて「無条件転送」の設定がなされている場合であっても、その調査対象の加入者装置が加入している回線の誤判別を無くすことが可能な回線判別装置及び方法を提供することをその目的とする。
【課題を解決するための手段】
【００１１】
本願に係る発明は上記課題を解決すべくなされたものであり、本発明は、回線種別の調査対象となされている加入者装置に宛てて非制限デジタル発信を行い、その非制限デジタル発信に対する反応に基づいて、加入者装置が加入している通信回線がデジタル回線であると確定できるか若しくはアナログ回線の可能性があるかを判定し、加入者装置が通信中かどうかを自動応答により調査する所定の調査サービス局に対して、アナログ回線の可能性があると判定された加入者装置についての調査依頼のための発信を行い、その調査サービス局からの自動応答結果に基づいて、加入者装置が加入している通信回線がアナログ回線であると確定できるか若しくは判別不能であると確定できるかを判定する。
【００１２】
このような本発明によれば、非制限デジタル発信に対する反応によりアナログ回線の可能性があるかどうかを判定し、アナログ回線の可能性があるものについては、所定の調査サービス局への調査依頼に応じて当該調査サービス局から送られる自動応答結果に基づいて、アナログ回線を確定し、残りを判別不能であると確定するため、誤った判別結果が得られることはない。
【００１３】
また、本発明においては、非制限デジタル発信に対する反応が、調査対象の加入者装置からの応答である場合と、調査対象の加入者装置が加入している通信回線の交換機から当該加入者装置の異常により着信不能であることを理由にした切断である場合に、調査対象の加入者装置が加入している通信回線はデジタル回線であると確定する。
【００１４】
このような本発明によれば、非制限デジタル発信に対する反応によりデジタル回線を確定できるため、それ以外についてはアナログ回線の可能性があると判定できる。
【００１５】
また、本発明においては、所定の調査サービス局から自動応答により送られてくるガイダンス音声を解析し、当該ガイダンス音声が、加入者装置が空いているか通話中であることを示す場合には、その加入者装置が加入している通信回線がアナログ回線であると確定し、ガイダンス音声が、調査対象の加入者装置が通信中以外であることを示す場合には、その加入者装置が加入している通信回線を判別不能であると確定する。
【００１６】
このような本発明によれば、ガイダンス音声によりアナログ回線を確定できるため、それ以外については判別不能であると確定できる。
【発明の効果】
【００１７】
以上説明したように本発明の回線判別装置及び方法によれば、調査対象の加入者装置にて例えば「無条件転送」の設定がなされている場合であっても、その調査対象の加入者装置が加入している回線種類の誤判別を無くすことが可能である。
【発明を実施するための最良の形態】
【００１８】
次いで、本発明を実施するための最良の形態について、図を参照しつつ説明する。図1には、本発明の回線判別装置及び方法に係る実施形態の概略的な構成例を示す。
【００１９】
回線判別装置1は、或る電話番号の加入者装置が加入している公衆回線の種別を調査するための装置である。電話番号入力部11は、回線種別の調査対象となされている加入者装置の電話番号を、例えばオペレータが入力するための入力手段である。この電話番号入力部11から入力された電話番号は制御部10に送られる。
【００２０】
この時の制御部10は、非制限デジタル信号発生部13から上記調査対象の電話番号に宛てた非制限デジタル信号の発信を行う。当該非制限デジタル信号は、ターミナルアダプタ14からISDN回線を通じてPSTN（一般公衆回線網）20へ送られることになる。
【００２１】
そして、上記調査対象の電話番号がISDN回線の電話番号である場合、上記非制限デジタル信号は、PSTN20からISDN回線を通じてターミナルアダプタ21へ送られる。ここで、ターミナルアダプタ21に異常がなければ、当該ターミナルアダプタ21からは上記非制限デジタル信号に対する応答が、上記回線判別装置1へ返送されることになる。一方、ターミナルアダプタ21に異常がある場合には、PSTN20の交換機から、上記ターミナルアダプタ21の異常により着信できないことを理由とした切断が行われる。また、上記調査対象の電話番号がアナログ回線の電話番号である場合、PSTN20の交換機により、着信側（調査対象の加入者装置23）に着信できないことを理由とした切断が行われることになる。
【００２２】
回線判別装置1の応答解析部17は、上記非制限デジタルの発信に対する反応を解析することにより、その加入者装置が加入している公衆回線を判別する。すなわち、例えばターミナルアダプタ21から応答が得られた場合や、ターミナルアダプタ21の異常により着信できないことを理由としたPSTN20の交換機による切断がなされた場合には、ISDN回線であると判定し、一方、着信側（調査対象の加入者装置23）に着信できないことを理由としたPSTN20の交換機による切断がなされた場合には、アナログ回線であると判定する。
【００２３】
但しこの時、例えばターミナルアダプタ24におけるISDN回線経由の転送設定や、加入者装置26へのアナログ回線経由の転送設定、移動体通信回線網30を経由した移動体通信装置31，32等への転送設定（特に無条件転送の設定）がなされている場合には、誤った回線判別が行われてしまう可能性がある。
【００２４】
このため、本実施形態に係る回線判別装置1では、上述した非制限デジタル発信による回線判別処理に加えて、所定の音声応答システム（話中自動調査サービスシステム）を利用した回線判別処理を行い、それら回線判別処理を組み合わせることで、調査対象の加入者装置にて「無条件転送」の設定がなされている場合であっても、その調査対象の加入者装置が加入している回線種別が誤って判定されてしまうことを無くし、アナログ回線とISDN回線、判別不能なものについては判別不能であることを、それぞれ確定可能としている。
【００２５】
先ず、本実施形態の回線判別装置1の制御部10は、上述の非制限デジタル発信を使用した回線判別処理により、図2に示すように、調査対象の回線についてアナログ回線であるか或いはISDN回線であるか判別する。この時、本実施形態に係る回線判別装置1の制御部10は、図2に示すように、転送設定の有無に関わらず、アナログ回線の可能性がある各組み合わせと、前述の図8で説明した「無応答転送」時にISDN回線が誤ってアナログ回線であると判定される二つの組み合わせ、つまりアナログ回線への無条件転送設定がなされたISDN回線と、N社第2世代移動体通信網の移動体通信回線への無条件転送設定がなされたISDN回線の組み合わせついては、すべてアナログ回線であると仮に判定する。
【００２６】
一方、前述の図8で説明した「判別不能」の組み合わせも含め、ISDN回線であることを確定できる各組み合わせ、つまりアナログ回線への無条件転送設定がなされたISDN回線以外と、N社第2世代移動体通信網の移動体通信回線への無条件転送設定がなされたISDN回線以外の組み合わせついては、図2に示すように、すべてISDN回線であると確定する。
【００２７】
次に、制御部10は、DTMF（Dial Tone Multi Frequency）信号発生部15から、相手先が話し中かどうかを自動的に調べて通知するサービスを提供している局番（話中自動調査サービスセンタ40の局番）のトーン信号を発生させ、それをモデム16を介して送信することで当該話中自動調査サービスセンタ40と接続し、さらに、その話中自動調査サービスセンタ40から流される音声ガイダンスに従って上記調査対象の回線の電話番号のトーン信号を送信することにより、当該調査対象の加入者装置が話し中であるかどうかの調査を行う。
【００２８】
ここで、上記調査対象の回線がアナログ回線である場合、上記話中自動調査サービスセンタ40からは、当該加入者装置が話し中であるか否かのガイダンス音声が送られてくることになる。またこの時、上記調査対象の加入者装置の回線がISDN回線である場合、或いは、上記調査対象の加入者装置の回線がアナログ回線で「無条件転送」設定がなされている場合、上記話中自動調査サービスセンタ40からは、オペレータへ接続する旨のガイダンス音声が送られてくることになる。
【００２９】
また、本実施形態に係る回線判別装置1は、音声認識等が可能な音声認識部18を備えており、当該音声認識部18にて上記ガイダンス音声の認識処理を行った結果を、制御部10へ送るようになされている。そして、本実施形態において、制御部10は、音声認識部18から供給された音声認識結果の情報に基づいて、上記話中自動調査サービスセンタ40から送られてきた音声ガイダンスの内容を解析するとともに、その解析結果を元に、調査対象の加入者装置の回線種別を判定する。
【００３０】
すなわち、上記話中自動調査サービスセンタ40から上記加入者装置が話し中であるか否かのガイダンス音声が送られてきた場合、制御部10は、図3に示すように、上記調査対象の回線がアナログ回線であると確定する。一方、上記話中自動調査サービスセンタ40からオペレータへ接続する旨のガイダンス音声が送られてきた場合、制御部10は、図3に示すように、上記調査対象の回線がISDN回線であるか若しくはアナログ回線で「無条件転送」設定されており、回線判別不能であると確定し、その旨をモニタ部12等に表示する。
【００３１】
このように、本実施形態に係る回線判別装置1では、図4に示すように、非制限デジタル発信による回線判別処理により確定された図2のISDN回線と、話中自動調査サービスセンタ40からのガイダンス音声に基づいて確定された図3のアナログ回線とを除いた残りの組み合わせについては、ISDN回線であるか若しくはアナログ回線で「無条件転送」設定されているため、回線判別不能であることを確定することが可能となされている。
【００３２】
上述したように、本実施形態に係る回線判別装置1によれば、図5の（A）に示すように、先ず、非制限デジタル発信を使用した回線判別処理により、無条件転送設定無しのアナログ回線と、無条件転送設定有りのアナログ回線、アナログ回線への無条件転送設定がなされたISDN回線、N社第2世代移動体通信網の移動体通信回線への無条件転送設定がなされたISDN回線については、すべてアナログ回線と仮に判定するとともに、無条件転送無しのISDN回線と、アナログ回線への無条件転送設定がなされたISDN回線以外、N社第2世代移動体通信網の移動体通信回線への無条件転送設定がなされたISDN回線以外についてはISDN回線と確定する。
【００３３】
その後、図5の（B）に示すように、話中自動調査サービスセンタ40からのガイダンス音声を解析することにより、無条件転送設定無しのアナログ回線を確定し、無条件転送設定有りのアナログ回線、アナログ回線への無条件転送設定がなされたISDN回線と、N社第2世代移動体通信網の移動体通信回線への無条件転送設定がなされたISDN回線を、回線判別不能として確定することにより、例えば、調査対象の回線がアナログ回線であるにもかかわらずISDN回線であると誤判別してしまったり、調査対象の回線がISDN回線であるにもかかわらずアナログ回線であると誤判別してしまうことを無くすことが可能となっている。
【００３４】
図6には、本実施形態に係る回線判別装置1による回線判別処理のフローチャートを示す。図6において、回線判別装置1では、加入者装置の電話番号が入力される（S101）ことで、回線判別の調査対象の電話番号が確定（S102）される。
【００３５】
次に、回線判別装置1は、調査を行う際のタイムアウト時間を設定（S103）し、次に、そのタイムアウト時間の計測を開始（S104）する。その後、次に、回線判別装置1は、調査対象の加入者装置の電話番号に宛てて、非制限デジタルによる発呼（S105）を行う。そして、その非制限デジタルの発呼に対して、回線が切断されたか否か（S106）を判定し、一方、回線が切断されていない時は、タイムアウト時間まで待ち（S107）、タイムアウト時間で強制切断する（S108）。
【００３６】
次に、回線判別装置1は、回線切断や非制限デジタルへの応答などから、図5の（A）に示したような判定（S109）を行い、話中自動調査サービスセンタ40への接続を行い、ガイダンス音声に基づく判定（S110）を行う。
【００３７】
その後、回線判別装置1は、S109とS110の判定結果を合成し、図7に示すような確定した回線種別に応じたリザルトコードを生成する。そして、回線判別装置1は、そのリザルトコードから、アナログ回線の確定、ISDN回線の確定、回線判別不能の確定を行う。
【００３８】
なお、上述した各実施形態に係る説明は、本発明の一例である。このため、本発明は上述した実施形態に限定されることなく、本発明に係る技術的思想を逸脱しない範囲であれば、設計等に応じて種々の変更が可能であることはもちろんである。
【図面の簡単な説明】
【００３９】
【図１】本発明の回線判別装置及び方法に係る実施形態に係る概略的なシステム構成例を示す図である。
【図２】実施形態に係る回線判別装置における非制限デジタル発信を使用した回線判別の調査範囲と判別結果を示す図である。
【図３】実施形態に係る回線判別装置における話中自動調査サービスセンタを利用した回線判別の調査範囲と判別結果を示す図である。
【図４】非制限デジタル発信を使用した回線判別と話中自動調査サービスセンタを利用した回線判別の組み合わせによる調査範囲と判別結果を示す図である。
【図５】実施形態に係る回線判別装置での回線判別により確定される回線の説明に用いる図である。
【図６】実施形態に係る回線判別装置での回線判別の流れを示すフローチャートである。
【図７】リザルトコードと回線の種別の対応表である。
【図８】従来の非制限デジタル発信を使用した回線判別による判別結果を示す図である。
【符号の説明】
【００４０】
1…回線判別装置
10…制御部
11…電話番号入力部
12…モニタ部
13…非制限デジタル信号発生部
14，21，24…ターミナルアダプタ
15…DTMF信号発生部
16…モデム
17…応答解析部
18…音声認識部
20…PSTN
23，26…加入者装置
30…移動体通信回線網
31，32…移動体通信装置
40…話中自動調査サービスセンタ
【図１】
2007104507.tif 000003
【図２】
2007104507.tif 000004
【図３】
2007104507.tif 000005
【図４】
2007104507.tif 000006
【図５】
2007104507.tif 000007
【図６】
2007104507.tif 000008
【図７】
2007104507.tif 000009
【図８】
2007104507.tif 000010